(57)【特許請求の範囲】
【請求項１】
手を載せる上壁を有するリール本体と、
上記リール本体に設けられ、釣糸が巻き付けられるスプールと、
上記リール本体に収容され、上記スプールを駆動する電動モータと、
上記リール本体に設けられ、上記電動モータを駆動させる駆動スイッチと、
上記リール本体に設けられ、上記スプールが自由に回転するように上記電動モータと上記スプールとの間を切り離す第１の切り換え位置と、上記電動モータが停止している状態で上記スプールの回転を規制するように上記電動モータと上記スプールとの間を接続する第２の切り換え位置と、上記電動モータが駆動された状態で上記スプールが上記釣糸を巻き取る方向に回転するように上記電動モータと上記スプールとの間を接続する第３の切り換え位置と、の間で人為的に操作可能であり、上記電動モータと上記スプールとの間の動力接続状態を切り換える切り換え部材と、を具備し、
上記リール本体の上記上壁は、第１の領域が形成された後部と、第２の領域が形成された前部と、上記第１の領域と上記第２の領域との間に位置された中間部と、を含み、上記第１の領域は、上記中間部から上記後部に向けて下向きに傾斜されているとともに、上記第２の領域は、上記中間部から上記前部に向けて下向きに傾斜され、
上記切り換え部材は、上記リール本体の上記中間部で上記リール本体の上記上壁の上に突出された魚釣用リール。
【請求項２】
請求項１の記載において、上記リール本体は、載置面の上に置かれる接地部を有し、上記上壁は、上記接地部の反対側に位置された魚釣用リール。
【請求項３】
請求項１または請求項２の記載において、上記切り換え部材は、上記リール本体に回動可能に支持されており、この切り換え部材を回動させることで、上記第１の切り換え位置、上記第２の切り換え位置および上記第３の切り換え位置の間の切り換え操作が行われる魚釣用リール。
【請求項４】
請求項１ないし請求項３のいずれか一項の記載において、上記切り換え部材は、上記切り換え部材の操作方向に沿う中央で上記第２の切り換え位置となり、上記第２の切り換え位置から上記切り換え部材の操作方向に沿う一方に操作することで上記第１の切り換え位置となり、上記第２の切り換え位置から上記切り換え部材の操作方向に沿う他方に操作することで上記第３の切り換え位置となる魚釣用リール。
【請求項５】
請求項１の記載において、上記リール本体の上記第１の領域は、上記リール本体の上方に凸となるように上記リール本体の前後方向に沿って円弧状に湾曲された曲面を有するとともに、上記リール本体の上記第２の領域は、上記リール本体の上方に凸となるように上記リール本体の前後方向に沿って円弧状に湾曲された曲面を有する魚釣用リール。
【発明の詳細な説明】
【技術分野】
【０００１】
本発明は、電動モータにより駆動されるスプールを備えた魚釣用リールに関する。
【背景技術】
【０００２】
従来、船釣りを中心にして電動リールを用いた釣りが広く行われている。この種の釣りは、電動リールを取り付けた釣竿を竿掛けなどで保持したり、釣竿を手で持つなどして行われる。そして、魚が掛かるとリールに設けられたモータ駆動用スイッチを操作して、釣糸の巻き上げを行っている。
【０００３】
近年では、氷結した湖の上で行うワカサギの穴釣りやボート釣り等において、釣竿を手で持つ他に、短い釣竿を装着した小形の電動リールを取付台の上に置いて釣りを行うことがある。
【０００４】
特許文献１は、ワカサギ釣り用の電動リールを開示している。この電動リールは、円筒状の把持部を備える。この把持部を形成する円筒の側面の一部に切欠き部が形成されている。この切欠き部には、釣糸が巻き付けられるスプールが回転可能に設けられている。また把持部内には、上記スプールを回転駆動する電動モータが収容されている。この電動モータを駆動させるスイッチは、上記把持部の上部外表面に設けられている。
【０００５】
また上記電動リールは、電動モータの出力軸とスプールとの間の動力接続状態を切り換えるクラッチを備える。このクラッチは、スプールに隣接して設けられたカム（またはレバー）で構成されている。上記電動リールは、このカム（またはレバー）が手で操作されることで、スプールが電動モータの出力軸から離れてスプールの回転が自由になる状態と、スプールが電動モータの出力軸に圧接されてスプールの回転が規制される状態との間で切り換えられる。
【０００６】
また上記電動リールでは、スプールの回転が自由な状態でモータ駆動用スイッチを操作して電動モータを駆動すると、出力軸の回転によりクラッチが自動的に切り換わり、スプールの自由な回転が規制されるとともに、電動モータの駆動に伴いスプールが釣糸を巻き取る方向に回動するようになっている。
【特許文献１】特開平１０−１９１８４４号公報
【発明の開示】
【発明が解決しようとする課題】
【０００７】
ところで、多くの釣りにおいては、スプールの回転を自由にして仕掛けを水中に落とし、仕掛けが狙った水深に達したところで、クラッチを操作してスプールの回転を規制する。そしてスプールの回転が規制された状態で、例えば釣竿を上下に動かすなど魚を誘う操作を行い、魚の食い付きを待つ。そして魚が掛かったときは、モータ駆動用のスイッチを操作してスプールを回動して釣糸の巻き上げを行う。
【０００８】
上記のような魚を誘う操作を行う場合、特許文献１に記載の電動リールを用いた場合でも上記と同様の一連の操作が必要になる。すなわち、釣人は上記カム（またはレバー）を手で操作してスプールの回転を自由にして仕掛けを水中に落とす。そして、仕掛けが狙った水深に達したところで、上記カム（またはレバー）を手で操作してスプールの回転を規制する。これにより釣人は、スプールの回転が規制された状態で魚を誘う操作を行うことができる。そして魚が掛かったときは、把持部の上部外表面に設けられた電動モータの駆動用スイッチを操作してスプールを回動して釣糸の巻き上げを行うことになる。
【０００９】
つまり、クラッチを構成するカム（またはレバー）と、電動モータの駆動用スイッチとが別々に設けられており、仕掛けを下ろしてスプールの回転を規制するようにクラッチを操作する時、どうしても電動モータの駆動用スイッチに手を添えることができない。
【００１０】
そのため、仕掛けを下ろしてスプールの回転を規制するようにクラッチを操作している間に魚の当たりがあったとき、その当たりに対し素早く対応することができない。エサに食い付いた魚を取り逃がさないためには、当たりが来たときに巻き上げ動作に素早く移れることが重要であるため、上記特許文献１に記載の電動リールは改良の余地がある。
【００１１】
本発明の目的は、仕掛けを下ろしてスプールの回転を規制する操作をしている間に魚の当たりがあったときでも、巻き上げ動作に素早く移ることができる魚釣用リールを得ることにある。
【課題を解決するための手段】
【００１２】
上記目的を達成するため、本発明の一つの形態に係る魚釣用リールは、手を載せる上壁を有するリール本体と、上記リール本体に設けられ、釣糸が巻き付けられるスプールと、上記リール本体に収容され、上記スプールを駆動する電動モータと、上記リール本体に設けられ、上記電動モータを駆動させる駆動スイッチと、上記リール本体に設けられ、上記電動モータと上記スプールとの間の動力接続状態を切り換える切り換え部材と、を具備し、上記切り換え部材は、上記スプールが自由に回転するように上記電動モータと上記スプールとの間を切り離す第１の切り換え位置と、上記電動モータが停止している状態で上記スプールの回転を規制するように上記電動モータと上記スプールとの間を接続する第２の切り換え位置と、上記電動モータが駆動された状態で上記スプールが上記釣糸を巻き取る方向に回転するように上記電動モータと上記スプールとの間を接続する第３の切り換え位置と、の間で人為的に操作可能である。
上記リール本体の上記上壁は、第１の領域が形成された後部と、第２の領域が形成された前部と、上記第１の領域と上記第２の領域との間に位置された中間部と、を含み、上記第１の領域は、上記中間部から上記後部に向けて下向きに傾斜されているとともに、上記第２の領域は、上記中間部から上記前部に向けて下向きに傾斜され、上記切り換え部材は、上記リール本体の上記中間部で上記リール本体の上記上壁の上に突出されたことを特徴としている。
【発明の効果】
【００１３】
本発明によれば、スプールの回転を規制するための切り換え部材によって、電動モータを駆動させる操作を行うことができる。そのため、上記切り換え部材によりスプールの回転を自由にして仕掛けを水中に落とし、スプールの回転を規制する操作をして魚の当たりを待つことができ、電動モータを駆動させ、巻き上げ動作を行うことができて、釣りの一連の操作を素早く行うことができる。
【発明を実施するための最良の形態】
【００１４】
以下に本発明の実施の形態の一例を、図１ないし図１２に基づいて説明する。
【００１５】
図１に示すように、例えば氷結した湖面１に穴２を開けてワカサギを釣る、いわゆる穴釣りは、例えば氷結した湖面１の上に釣用の台３を据え付けて行う。台３は、載置面としての平坦な上面３ａを有している。釣人は、台３の上面３ａの上に魚釣用リール４を置くとともに、この魚釣用リール４を手Ｈで掴んで操作することでワカサギを吊り上げる。
【００１６】
図１ないし図３に示すように、魚釣用リール４は、リール本体５を備えている。リール本体５は、その外郭を構成する筐体６を有している。筐体６は、例えばＡＢＳ樹脂や、ポリカーボーネートのような合成樹脂材料により形成されている。
【００１７】
筐体６は、長軸Ｌと短軸Ｓとを有する偏平な箱形であり、釣人が片方の手Ｈで掴むことができる程度の大きさを有している。筐体６の長軸Ｌは、筐体６の前後方向に延びている。筐体６の短軸Ｓは、筐体６の幅方向に延びている。
【００１８】
図２および図４に示すように、筐体６は、ロアケース７とトップカバー８とで構成されている。ロアケース７は、底壁９と、底壁９の左右の側縁から起立する一対の側壁１０ａ，１０ｂと、底壁９の前端から立ち上がる前壁１１と、底壁９の後端から立ち上がる後壁１２とを有している。トップカバー８は、底壁９と向かい合うようにロアケース７に被せられている。トップカバー８の外周縁は、側壁１０ａ，１０ｂの上縁、前壁１１の上縁の一部および後壁１２の上縁に連続している。
【００１９】
トップカバー８は、ねじ止めあるいは嵌め込み等の手段によりロアケース７に固定されて、このロアケース７との間にモータ収容室１３を規定している。したがって、筐体６は、内部にモータ収容室１３を有する中空の箱形をなしている。さらに、ロアケース７の底壁９にバッテリ収容部１４が形成されている。
【００２０】
筐体６は、一対の脚１６ａ，１６ｂを有している。脚１６ａ，１６ｂは、例えば筐体６よりも柔らかいゴム状弾性体で形成されている。脚１６ａ，１６ｂは、ロアケース７の底壁９に固定され、本発明でいうリール本体の接地部（すなわち底部）を構成し、台３の上面３ａの上に置かれる部分となる。
【００２１】
図２に示すように、トップカバー８は、筐体６の上壁６ａを構成している。上壁６ａは、リール本体５において脚１６ａ，１６ｂとは反対側に位置するリール本体５の上部であるとともに、釣人が上方から手Ｈを載せる部分である。図２および図３に示すように、上壁６ａは、第１の領域１７と第２の領域１８とを有している。第１の領域１７は、リール本体５の後部に形成され、釣人がリール本体５を手Ｈで掴んだ時に、手の平Ｐを受ける部分である。第２の領域１８は、リール本体５の前部において後述するスプール３４の左右両側に形成され、釣人がリール本体５を手Ｈで掴んだ時に、手Ｈの人さし指Ｈ２および中指Ｈ３を受ける部分である。
【００２２】
図６に示すように、第１の領域１７は、筐体６の中間部１９から筐体６の後方に進むに従い下向きに傾斜するとともに、筐体６の上方に凸となるように筐体６の前後方向に沿って滑らかな円弧を描いて湾曲する曲面となっている。第２の領域１８は、筐体６の中間部１９から筐体６の前方に進むに従い下向きに傾斜するとともに、筐体６の上方に凸となるように筐体６の前後方向に沿って滑らかな円弧を描いて湾曲する曲面となっている。第１の領域１７と第２の領域１８とは、中間部１９において互いに滑らかに連続している。
【００２３】
図４に示すように、第１の領域１７は、筐体６の上方に凸となるように筐体６の左右方向に沿って滑らかな円弧を描いて湾曲する曲面となっている。また、図示しないが第２の領域１８も同様に、筐体６の上方に凸となるように筐体６の左右方向に沿って滑らかな円弧を描いて湾曲する曲面となっている。
【００２４】
このことから、第１の領域１７と第２の領域１８との間の境界に位置する中間部１９は、上壁６ａの中で筐体６の上方に最も張り出す頂部２０を含んでいる。本実施の形態の筐体６は、例えばポータブルコンピュータ用の代表的なポインティングデバイスであるマウスと類似する外観形状を有する。
【００２５】
図３に示すように、トップカバー８は、円形の開口部２１を有している。開口部２１は、第２の領域１８の前半部分の中央部において後述するスプール３４を避けるように開口している。第２の領域１８は、スプール３４の左側に形成される第１の指置き部２２ａと、スプール３４の右側に形成される第２の指置き部２２ｂとを含む。すなわち、第１および第２の指置き部２２ａ，２２ｂは、スプール３４の左右両側に分かれて形成されている。
【００２６】
第１の指置き部２２ａは、リール本体５の上壁６ａに右手Ｈが載せられた場合、その右手Ｈの人さし指Ｈ２を受ける。第２の指置き部２２ｂは、リール本体５の上壁６ａに右手Ｈが載せられた場合、その右手Ｈの中指Ｈ３を受ける。また、第１の指置き部２２ａは、リール本体５の上壁６ａに左手Ｈが載せられた場合、その左手Ｈの中指Ｈ３を受ける。第２の指置き部２２ｂは、リール本体５の上壁６ａに左手Ｈが載せられた場合、その左手Ｈの人さし指Ｈ２を受ける。
【００２７】
図４に示すように、筐体６の側壁１０ａ，１０ｂは、夫々側面２４ａ，２４ｂを有している。側面２４ａ，２４ｂは、筐体６の左側方および右側方に露出している。筐体６の側面２４ａ，２４ｂの下部に夫々凹部２５ａ，２５ｂが形成されている。凹部２５ａ，２５ｂは、筐体６の前後方向に延びるとともに、その下端が底壁９に連続している。
【００２８】
筐体６の左側の凹部２５ａは、筐体６を右手Ｈで掴んだ時に、右手Ｈの親指Ｈ１を差し入れるためのものであり、側面２４ａよりも筐体６の内側に向けて凹んでいる。筐体６の右側の凹部２５ｂは、筐体６を右手Ｈで掴んだ時に、右手Ｈの薬指Ｈ４および小指Ｈ５を差し入れるためのものであり、側面２４ｂよりも筐体６の内側に向けて凹んでいる。
【００２９】
図２および図３に示すように、筐体６のロアケース７の前端部に合成樹脂製の支持台２６が設けられている。支持台２６は、竿受け部２７とスプール受け部２８とを備えている。竿受け部２７は、筐体６の左右方向の中央部に位置している。竿受け部２７は、筐体６の前方に向けて開口する支持孔２９を有するとともに、釣糸ガイド３０を支持している。釣糸ガイド３０は、竿受け部２７の上方に突出するように垂直に起立する待機位置と、この待機位置から筐体６の後方に倒れ込む動作位置との間で回動可能であり、通常状態では待機位置に保持されている。
【００３０】
図１および図２に示すように、竿受け部２７の支持孔２９に釣竿４０が嵌め込まれている。釣竿４０は、例えば全長が１５ｃｍ程度の短いものでよく、リール本体５の前端から前方に向けて水平に突き出ている。
【００３１】
釣竿４０の外周面に複数の釣糸ガイド４１が取り付けられている。スプール３４から繰り出された釣糸３５は、リール本体５の釣糸ガイド３０から釣竿４０の釣糸ガイド４１を経由して釣竿４０の先端に導かれた後、釣竿４０の先端から湖面１に開けた穴２を通じて水中に没している。なお、釣糸３５の先端部には、重りあるいは撚りもどしのようなストッパ４２（図１１に示す）が取り付けられている。
【００３２】
本実施の形態の魚釣用リール４は、好ましい例としてリール本体５に釣竿４０を装着しているが、この釣竿４０は必須の構成要素ではない。例えばリール本体５から釣竿を省略してもよいし、釣竿４０をリール本体以外の場所、例えば台３に取り付けてもよい。
【００３３】
図２に示すように、支持台２６のスプール受け部２８は、トップカバー８の開口部２１の下方において水平に配置されている。スプール受け部２８の外周縁部に円筒状の起立壁３１が形成されている。起立壁３１の上端は、開口部２１を取り囲むようにしてトップカバー８の下面に突き当たって、トップカバー８とスプール受け部２８との間を結んでいる。
【００３４】
ロアケース７の底壁９にスプール軸３３が支持されている。スプール軸３３は、底壁９から垂直に起立するとともに、スプール受け部２８を貫通してスプール受け部２８の上に突出している。
【００３５】
スプール軸３３の上部に合成樹脂又は金属製のスプール３４が回転可能に支持されている。スプール３４は、リール本体５の前部において、リール本体５の幅方向の中央部に位置している。スプール３４は、釣糸３５が巻き付けられる釣糸巻回胴部３６と、釣糸巻回胴部３６を間に挟んで上下方向に向かい合う一対のフランジ３７ａ，３７ｂとを備え、水平方向に回転するようになっている。一方のフランジ３７ａは、他のフランジ３７ｂよりも大径であり、この大径なフランジ３７ａがスプール受け部２８の上面の上に置かれている。
【００３６】
スプール軸３３は、釣糸巻回胴部３６を同軸状に貫通して他方のフランジ３７ｂの上に突出している。スプール軸３３の上端に袋ナット３８がねじ込まれている。袋ナット３８は、スプール受け部２８との間でスプール３４を挟み込んでおり、これによりスプール３４がリール本体５の前部に支持されている。
【００３７】
スプール３４は、トップカバー８の開口部２１の内側に位置している。スプール３４の上端に位置する他方のフランジ３７ｂは、筐体６の上壁６ａの頂部２０と同等の高さあるいは頂部２０よりも少しだけ低い位置にあり、開口部２１から筐体６の第２の領域１８に露出している。
【００３８】
図３に示すように、第２の領域１８の第１および第２の指置き部２２ａ，２２ｂは、スプール３４の左側および右側に振り分けられている。そのため、指置き部２２ａ，２２ｂに人さし指Ｈ２および中指Ｈ３を載せた時に、人さし指Ｈ２と中指Ｈ３は、スプール３４の左右両側に分かれて位置することになる。
【００３９】
図２に示すように、筐体６のモータ収容室１３には、釣糸３５を巻き取る方向にスプール３４を駆動する電動モータ４４が収容されている。電動モータ４４は、ステータおよびロータを収容するモータハウジング４５と、このモータハウジング４５の前端から突出する金属製の出力軸４６（すなわち駆動軸）とを有している。電動モータ４５は、出力軸４６を筐体６の前後方向に沿わせた横置きの姿勢でスプール３４の後方に設置されている。
【００４０】
電動モータ４５の出力軸４６は、スプール軸３３の直後に位置するとともに、このスプール軸３３と直交するような位置関係を保っている。出力軸４６の前端部は、スプール３４の一方のフランジ３７ａの下方に位置している。
【００４１】
出力軸４６の外周上に円筒状のトルク伝達部材４７が同軸状に取り付けられている。トルク伝達部材４７は、例えばスプール３４よりも柔らかい合成樹脂又はゴム状弾性体により形成されている。トルク伝達部材４７の外周面は、スプール３４のフランジ３７ａの下面に接している。
【００４２】
図２に示すように、電動モータ４４のモータハウジング４５はピボット軸４８を有している。ピボット軸４８は、モータハウシング４５の後端に位置するとともに、出力軸４６と直交するように筐体６の幅方向に沿って水平に延びている。ピボット軸４８は、ロアケース７の軸受部４９に支持されている。
【００４３】
このため、電動モータ４４は、ピボット軸４８を支点として、第１の位置と第２の位置との間で回動可能となっている。上記第１の位置では、図２に示すように電動モータ４４の出力軸４６が筐体６の前後方向に沿って水平に延びており、トルク伝達部材４７の外周面がスプール３４のフランジ３７ａの下面に当接している。すなわち、電動モータ４４の出力軸４６とスプール３４との間が機械的に接続され、電動モータ４４の出力軸４６とスプール３４との間にトルク伝達部材４７を介して摩擦抵抗が働く。そのため、スプール３４の自由な回転は上記摩擦抵抗により規制される。また電動モータ４４が駆動されると、出力軸４６からスプール３４に動力が伝達され、スプール３４が回動される。
【００４４】
一方、上記第２の位置では、図１０に示すように電動モール４４の出力軸４６が前下がりとなって、トルク伝達部材４７の外周面がスプール３４のフランジ３７ａの下面から離れている。すなわち、電動モータ４４の出力軸４６とスプール３４との間の機械的な接続が切り離されており（すなわち機械的な接続が解除されており）、電動モータ４４の出力軸４６とスプール３４との間に摩擦抵抗は働かない。そのため、スプール３４は回転自由な状態になる。
【００４５】
さらに、電動モータ４４は、引っ張りコイルスプリング５０を介して常に第１の位置に向けて弾性的に付勢されている。そのため、電動モータ４４が第１の位置にある限り、トルク伝達部材４７の外周面がスプール３４のフランジ３７ａの下面に弾性的に押し付けられている。
【００４６】
図３および図７に示すように、リール本体５には、電動モータ４４の運転を制御する三つの駆動スイッチ５８，５９ａ，５９ｂが設けられている。この三つの駆動スイッチ５８，５９ａ，５９ｂは、一つの連続巻きスイッチ５８と、互いに同じ機能を有する一対の寸動スイッチ５９ａ，５９ｂとを含む。連続巻きスイッチ５８は、本発明でいう電動モータを駆動する駆動スイッチの一例である。
【００４７】
図７に示すように、連続巻きスイッチ５８は、筐体６の内部に収容されている。また筐体６の中間部１９には、切り換えレバー６３が設けられている。切り換えレバー６３は、本発明でいう切り換え部材の一例であり、電動モータ４４とスプール３４との間の動力接続状態を切り換える切換部（すなわちクラッチ機構）を構成している。図７に示すように、連続巻きスイッチ５８は、切り換えレバー６３に隣接して配置されている。
【００４８】
切り換えレバー６３は、リール本体５に回動可能に支持されている。詳しく述べると、切り換えレバー６３は、軸部６３ａと、指掛け用の舌片部６４と、カム部６５とを備えている。図２に示すように、軸部６３ａは、筐体６の前後方向に水平に延びるとともに、起立壁３１と、スプール受け部２８の後端に形成されたブラケット６６とに回動可能に支持されている。
【００４９】
図７に示すように、切り換えレバー６３は、リール本体５の上部に設けられている。すなわち、舌片部６４は、トップカバー８に開口するスリット６７を貫通して筐体６の上壁６ａの上に突出している。図３に示すように、舌片部６４は、釣人が筐体６の上壁６ａに手Ｈを載せた時に、人さし指Ｈ２の付け根と中指Ｈ３の付け根とで規定されるＶ形の隙間６８に位置するようになっている。釣人は、手の平Ｐを上記第１の領域１７に宛がったまた、上記舌片部６４を例えば人さし指Ｈ２などで操作可能である。
【００５０】
図７に示すように、カム部６５は、外周縁部７０、第１のカムノーズ７１および第２のカムノーズ７２を備えている。外周縁部７０は、トルク伝達部材４７に対向するとともに、軸部６３ａを中心とする円弧を描くように湾曲している。外周縁部７０は、トルク伝達部材４７の外周面に対しわずかな間隙を有している。
【００５１】
第１のカムノーズ７１は、外周縁部７０の一端に位置するとともに、この一端から軸部６３ａの径方向外側に向けて突出している。第２のカムノーズ７２は、外周縁部７０の他端に位置している。第２のカムノーズ７２は、軸部６３ａを中心とする円弧を描くように湾曲しているとともに、外周縁部７０よりも軸部６３ａの径方向外側に僅かに張り出している。外周縁部７０と第２のカムノーズ７２との境界部分には、トルク伝達部材４７の外周面に沿うように湾曲する段差７３が形成されている。連続巻きスイッチ５８は、切り換えレバー６３の第１のカムノーズ７１に対向するように配置されている。
【００５２】
切り換えレバー６３は、（１）電動モータ４４とスプール３４との間を切り離し、スプール３４の回転が自由になる第１の切り換え位置と、（２）電動モータ４４とスプール３４との間を機械的に接続し、電動モータ４４が停止している状態でスプール３４の回転が規制される第２の切り換え位置と、（３）電動モータ４４とスプール３４との間が機械的に接続されるとともに、当該切り換えレバー６３の一部（例えば後述する第１のカムノーズ７１）が連続巻きスイッチ５８に接触し、電動モータ４４が駆動してスプール３４が釣糸３５を巻き取る方向に回動する第３の切り換え位置との間で切り換え可能である。
【００５３】
図７ないし図９に示すように、切り換えレバー６３は、例えば軸部６３ａを支点として回動されることで、上記第１ないし第３の切り換え位置Ｐ１，Ｐ２，Ｐ３の間の切り換えが行われる。
【００５４】
説明の便宜上、順序は逆になるが、図７は、切り換えレバー６３が第２の切り換え位置Ｐ２に回動された状態を開示している。この第２の切り換え位置Ｐ２は、スプール３４の回転規制状態を実現する切り換え位置である。第２の切り換え位置Ｐ２では、切り換えレバー６３の舌片部６４が垂直に起立するとともに、カム部６５の段差７３がトルク伝達部材４７の外周面に突き当たっている、またはわずかな間隙をあけて向かい合っている。
【００５５】
この時、段差７３は、トルク伝達部材４７に対し単に上方から接している（または、間隙をあけて向かい合っている）だけであり、トルク伝達部材４７は、引っ張りコイルスプリング５０の付勢力を受けてスプール３４のフランジ３７ａに弾性的に押し付けられている。そのため、スプール３４は、フランジ３７ａとトルク伝達部材４７との接触部分に摩擦抵抗が生じる。これにより、電動モータ４４とスプール３４との間がトルク伝達部材４７を介して機械的に接続され、スプール３４の自由な回転が規制されている。
【００５６】
さらに、第２の切り換え位置Ｐ２では、第１のカムノーズ７１が連続巻きスイッチ５８の上方に位置し、第１のカムノーズ７１が連続巻きスイッチ５８から離れている。よって、連続巻きスイッチ５８は開状態を維持している。
【００５７】
切り換えレバー６３は、上記第１ないし第３の切り換え位置の中でこの第２の切り換え位置が中央位置にあたり、この中央位置からいずれか一方に傾けるように操作することで上記第２の切り換え位置から上記第１の切り換え位置へと切り換えられるとともに、上記中央位置から他方に傾けるように操作することで上記第２の切り換え位置から上記第３の切り換え位置へと切り換えられる。
【００５８】
図８は、切り換えレバー６３が第３の切り換え位置Ｐ３に回動された状態を開示している。この第３の切り換え位置Ｐ３は、スプール３４の駆動回転状態を実現する切り換え位置である。第３の切り換え位置Ｐ３では、切り換えレバー６３の舌片部６４が筐体６の左側に倒されて、トルク伝達部材４７の外周面とカム部６５の外周縁部７０との接触位置が相対的に変化している。この時、トルク伝達部材４７は、引っ張りコイルスプリング５０の付勢力を受けてスプール３４のフランジ３７ａに弾性的に押し付けられている。
【００５９】
さらに、切り換えレバー６３の第１のカムノーズ７１が連続巻きスイッチ５８に接触し、第１のカムノーズ７１によって連続巻きスイッチ５８が閉じられる。これにより、連続巻きスイッチ５８は、スプール３４を釣糸３５を巻き取る方向に連続して回転させるように電動モータ４４を駆動させる。
【００６０】
図９は、切り換えレバー６３が第１の切り換え位置Ｐ１に移動された状態を開示している。この第１の切り換え位置Ｐ１は、スプール３４の回転自由状態（いわゆるフリー状態）を実現する切り換え位置である。第１の切り換え位置Ｐ１では、切り換えレバー６３の舌片部６４が筐体６の右側に倒されて、第１のカムノーズ７１が連続巻きスイッチ５８から上方に離脱している。そのため、連続巻きスイッチ５８が閉状態から開状態に移行し、電動モータ４４に対する電流の供給が断たれる。その結果、電動モータ４４は停止している。
【００６１】
それとともに、切り換えレバー６３の回動に伴い、第２のカムノーズ７２がトルク伝達部材４７の外周面に乗り上げ、トルク伝達部材４７を強制的に押し下げる。これにより、電動モータ４４がピボット軸４８を支点に第１の位置から第２の位置に向けて回動し、トルク伝達部材４７がスプール３４のフランジ３７ａから離脱する。つまり、電動モータ４４とスプール３４との間が切り離され、電動モータ４４とスプール３４との間で摩擦抵抗が作用しない。そのため、スプール３４の自由な回転が許容され、スプール３４からの釣糸３５の繰り出しが可能となる。
【００６２】
以上のように、切り換えレバー６３は、この切り換えレバー（切り換え部材）６３の１つで、スプール３４をトルク伝達部材４７から切り離してスプール３４の自由な回転を許容するクラッチ機能と、連続巻きスイッチ５８を開閉するスイッチ開閉機能とを兼ね備えている。つまり、切り換えレバー６３は、上記第１および第２の切り換え位置Ｐ１，Ｐ２に加えて、上記第３の切り換え位置Ｐ３にも切り換え可能に構成されるとともに、この上記第３の切り換え位置Ｐ３になったときに連続巻きスイッチ５８に接触するような形状に造られている。
【００６３】
図３に示すように、一対の寸動スイッチ５９ａ，５９ｂは、スプール３４の左右両側に分かれて配置されている。第１および第２の寸動スイッチ５９ａ，５９ｂは、第１および第２の指置き部２２ａ，２２ｂに分かれて設けられている。
【００６４】
図５に第１の寸動スイッチ５９ａを代表して示すように、第１および第２の寸動スイッチ５９ａ，５９ｂは、リール本体５の筐体６の内部に収容されるとともに、第２の領域１８の第１および第２の指置き部２２ａ，２２ｂの内面Ｓ１に対向している。第１および第２の指置き部２２ａ，２２ｂの前端は、下向きに湾曲するとともに、ロアケース７の前壁１１の上端に上方から向かい合っている。第１および第２の指置き部２２ａ，２２ｂの前端と前壁１１の上端との間にはそれぞれ隙間２３が形成されている。
【００６５】
第１の指置き部２２ａは、その表面Ｓ２が第１の寸動スイッチ５９ａに向けて押圧されたとき、例えば隙間２３の分だけ沈み込むように弾性変形して、筐体６の内部に向いて撓る。これにより、第１の指置き部２２ａの内面Ｓ１が第１の寸動スイッチ５９ａに接触し、第１の寸動スイッチ５９ａが閉じられるように操作される。
【００６６】
また、第１の指置き部２２ａに対する押圧を取り除くと、第１の指置き部２２ａが元の位置に弾性的に復帰し、第１の指置き部２２ａの前端と前壁１１の上端との間に再び隙間２３が生じるとともに、第１の寸動スイッチ５９ａが開かれた状態に復帰する。なお第２の指置き部２２ｂと第２の寸動スイッチ５９ｂとの間係も上記と同様である。すなわち、弾性変形が可能な第１および第２の指置き部２２ａ，２２ｂは、第１および第２の寸動スイッチ５９ａ，５９ｂを操作するスイッチ操作子としての機能を兼ねている。
【００６７】
ここで、第１および第２の寸動スイッチ５９ａ，５９ｂは、一時巻き上げスイッチであり、指置き部２２ａ，２２ｂがスイッチ５９ａ，５９ｂに向けて押圧されている間のみ電動モータ４４を駆動させ、指置き部２２ａ，２２ｂに対する押圧が解除されると電動モータ４４の駆動を停止させる。また、第１および第２の寸動スイッチ２２ａ，２２ｂは、互いにスプール３４を同じ方向に回転させるスイッチであり、第１および第２の寸動スイッチ５９ａ，５９ｂのいずれを操作してもスプール３４は釣糸３５を巻き取る方向に回転する。
【００６８】
ここで、切り換えレバー６３が第１の切り換え位置Ｐ１にある時に、例えば人さし指Ｈ２で指置き部２２ａを押し下げて第１の寸動スイッチ５９ａを閉じると、電動モータ４４が駆動され、トルク伝達部材４７が図９の矢印方向に回転する。
【００６９】
この回転により、トルク伝達部材４７と第２のカムノーズ７２との接触部分に生じる摩擦力により、切り換えレバー６３が軸部６３ａを中心に図９の時計周り方向に回転する。これにより、切り換えレバー６３が第１の切り換え位置Ｐ１から第２の切り換え位置Ｐ２に復帰し、トルク伝達部材４７の外周面がスプール３４のフランジ３７ａの下面に再び接触する。つまり、切り換えレバー６３が第１の切り換え位置Ｐ１にある時（すなわち、スプールフリーの時）でも、第１の指置き部２２ａを押し下げることでスプール３４を回動させることができる。なお第２の指置き部２２ｂを押し下げた場合も同じである。
【００７０】
切り換えレバー６３のみでスプール３４の回転を自由にし、スプール３４の回転を規制し、電動モータ４４を駆動できるようにしたが、上記のように切り換えレバー６３以外のスイッチを有し、そのスイッチでこれらの操作を行ってもよい。
【００７１】
筐体６のバッテリ収容部１４に電動モータ４４の駆動用電源となる二本の乾電池５２ａ，５２ｂが収容されている。図１２に示すように、乾電池５２ａ，５２ｂの正極に夫々正側電源ライン５３ａ，５３ｂが接続されている。正側電源ライン５３ａ，５３ｂは、正側共通電源ライン５４を介して電動モータ４４の正側端子に接続されている。
【００７２】
乾電池５２ａ，５２ｂの負極に夫々負側電源ライン５５ａ，５５ｂが接続されている。負側電源ライン５５ａ，５５ｂは、負側共通電源ライン５６を介して電動モータ４４の負極端子に接続されている。そのため、各電源ライン５３ａ，５３ｂ，５４，５５ａ，５５ｂ，５６は、電動モータ４４を乾電池５２ａ，５２ｂに並列に接続する一つの電源回路５７を構成している。
【００７３】
図１２に示すように、常開型の連続巻きスイッチ５８は、正側電源ライン５３ａ，５３ｂと正側共通電源ライン５４との間に接続されている。常開型の第１の寸動スイッチ５９ａは、一方の正側電源ライン５３ａと正側共通電源ライン５４との間に接続されている。同じく常開形の第２の寸動スイッチ５９ｂは、他方の正側電源ライン５３ｂと正側共通電源ライン５４との間に接続されている。
【００７４】
正側共通電源ライン５４に常閉形の船べり停止スイッチ６０が配置されている。船べり停止スイッチ６０は、筐体６の前端に位置する釣糸ガイド３０と対向している。船べり停止スイッチ６０は、釣糸ガイド３０が待機位置から動作位置に回動された時に、この釣糸ガイド３０によって開方向に操作される。
【００７５】
負側共通電源ライン５６に常開形のメインスイッチ６１が配置されている。メインスイッチ６１は、筐体６の底壁９の下方に露出されて釣人が手の指先で操作し得るようになっている。
【００７６】
次に、魚釣用リール４の作用について説明する。  
魚釣用リール４を用いて例えばワカサギを釣るに当たっては、魚釣用リール４を釣場に設置された台３の上に置き、筐体６の上壁６ａに手Ｈを添えるように宛がう。
【００７７】
具体的には、上壁６ａの第１の領域１７に手の平Ｐを当てるとともに、人さし指Ｈ２および中指Ｈ３を夫々第２の領域１８の第１および第２の指置き部２２ａ，２２ｂの上に載せる。さらに、親指Ｈ１を筐体６の左側の凹部２５ａに差し入れるとともに、薬指Ｈ４および小指Ｈ５を筐体６の右側の凹部２５ｂに差し入れ、手Ｈで筐体６を全体的に包み込むように把持する。
【００７８】
次に、例えば人さし指Ｈ２で切り換えレバー６３を上記第１の切り換え位置Ｐ１に回動させ、スプール３４をフリー状態にすることで、スプール３４に巻き付けられた釣糸３５が仕掛けにより引っ張られてスプール３４から繰り出されるとともに、仕掛けが湖面１に開けた穴２から水中に沈降される。
【００７９】
この際、スプール３４は、指置き部２２ａ，２２ｂに載せた人さし指Ｈ２と中指Ｈ３との間に位置している。そのため、必要に応じて人さし指Ｈ２または中指Ｈ３をスプール３４のフランジ３７ｂの縁に押し当てることで、スプール３４の回転速度ひいては仕掛けの沈降速度を自由に調節することができる。
【００８０】
仕掛けが狙った水深に達したところで、例えば人さし指Ｈ２で切り換えレバー６３を第１の切り換え位置Ｐ１から第２の切り換え位置Ｐ２に戻す。これにより、スプール３４の自由な回転が規制される。この結果、スプール３４からの釣糸３５の繰り出しが停止されるので、このままの状態で当たりを待つ。
【００８１】
この時、釣人は、例えば手の平Ｐや手の指Ｈ２，Ｈ３をリール本体５の上壁６ａに載せるようにしてリール本体５に手を沿わせて当たりを待つ。また釣人は、人さし指Ｈ２または中指Ｈ３でトップカバー８の指置き部２２ａ又は２２ｂを弾性的に押し下げて、第１の寸動スイッチ５９ａ又は第２の寸動スイッチ５９ｂを閉じ、スプール３４を回転させることで釣糸３５の弛みを除去する。
【００８２】
当たりを待つ時は、台３の上に置かれた魚釣用リール４のリール本体５を手Ｈで握ったまま、例えばポータブルコンピュータ用のマウスを操作するようにリール本体５を左右に動かしたり、あるいはリール本体５を上下に振るように動かしてリール本体５で台３の上面３ａを叩き、水中の仕掛けを動かすことによりワカサギを誘う。
【００８３】
当たりが来たら、例えば人さし指Ｈ２で切り換えレバー６３を第２の切り換え位置Ｐ２から第３の切り換え位置Ｐ３に回動させ、切り換えレバー６３の第１のカムノーズ７１で連続巻きスイッチ５８を操作する。或いは、人さし指Ｈ２又は中指Ｈ３で第１または第２の指置き部２２ａ，２２ｂを押圧し、第１または第２の寸動スイッチ５９ａ，５９ｂを操作する。これにより、電動モータ４４が釣糸３５を巻き取る方向（図３の矢印方向）にスプール３４を回転（正転）させ、水中の仕掛けが次第に引き上げられる。
【００８４】
釣糸３５をスプール３４に巻き取っている時に、釣糸３５の先端側に位置する重りや撚り戻しのようなストッパ４２が魚釣用リール４の直前に達すると、図１１に示すように、ストッパ４２が待機位置に保持された釣糸ガイド３０を通過できずに、この釣糸ガイド３０に引っ掛かる。なお、ストッパ４２は、釣竿４０の釣糸ガイド４１は通過するようになっている。
【００８５】
このため、釣糸ガイド３０が釣糸３５の巻き取り動作に追従して待機位置から動作位置に向けて倒れ込む。釣糸ガイド３０が動作位置に達すると、この釣糸ガイド３０によって船べり停止スイッチ６０が開かれ、電動モータ４４に対する電流の供給が断たれる。この結果、釣糸３５の巻き取りが停止され、仕掛けはスプール３４に巻き込まれることなく魚釣用リール４の直前で停止する。
【００８６】
仕掛けがスプール３４の直前で停止したり、あるいは釣人が仕掛けの引き上げを確認したら、例えば人さし指Ｈ２で切り換えレバー６３を第３の切り換え位置Ｐ３から第２の切り換え位置Ｐ２に回動させ、スプール３４の自由な回転を制限するか、第１または第２の指置き部２２ａ，２２ｂに対する押圧を止める。最後に仕掛けを手で摘み上げて、仕掛けに掛かったワカサギを取り出す。
【００８７】
このような構成の魚釣用リール４によれば、仕掛けを下ろしてスプール３４の回転を規制する操作をしている間に魚の当たりがあったときでも、巻き上げ動作に素早く移ることができる。
【００８８】
すなわち、本発明に係る魚釣用リール４では、スプール３４の回転を規制するための切り換えレバー６３によって、電動モータ４４を駆動させる操作を行うことができる。つまり、電動モータ４４の出力軸４６とスプール３４との間の動力接続状態の切り換えと、電動モータ４４の電気的接続状態（すなわち駆動状態）の切り換えとを、一つの切り換えレバー６３で行うことができる。
【００８９】
そのため、切り換えレバー６３によりスプール３４の回転を自由にして仕掛けを水中に落とし、スプール３４の回転を規制する操作をして魚の当たりを待つことができ、その間に魚の当たりがあったとき、釣人は、その切り換えレバー６３をそのまま第３の切り換え位置まで操作するだけで電動モータ４４を駆動させることができる。これにより、当たりがあったときに巻き上げ動作に素早く移ることができ、釣りに必要な一連の操作を素早く行うことができる。
【００９０】
リール本体５が、接地部（例えば脚１６ａ，１６ｂ）と、この接地部の反対側に位置する上部（例えば上壁６ａ）とを有し、切り換えレバー６３が、リール本体５の上部に設けられていると、魚釣用リール４を台３の上や船べりの上に置いた状態で切り換えレバー６３を用いて巻き上げ操作ができるため操作性が良好である。
【００９１】
切り換えレバー６３が、リール本体５に回動可能に支持されており、この切り換えレバー６３を回動させることで上記第１、第２、および第３の切り換え位置Ｐ１，Ｐ２，Ｐ３の間の切り換えが行われると、指を離さないで連続して切り換え操作ができるため、操作性がさらに良好なものになる。
【００９２】
本実施形態では、切り換えレバー６３が、中央位置にてスプール３４の回転が規制される第２の切り換え位置Ｐ２となり、上記中央位置からいずれか一方に操作するとスプール３４の回転が自由になる第１の切り換え位置Ｐ１となり、上記中央位置から他方に操作すると電動モータ４４が駆動してスプール３４が回動する第３の切り換え位置Ｐ３となる。
【００９３】
これにより、スプール３４を回転自由状態から回転規制状態へ切り換えるために切り換えレバー６３を動かす方向と、スプール３４を回転規制状態から駆動回転状態へ切り換えるために切り換えレバー６３を動かす方向が同一の方向となる。
【００９４】
つまり、スプール３４の回転を規制するために切り換えレバー６３を所定方向に操作している間に魚の当たりがあったとき、切り換えレバー６３をそのままの方向に沿って深く押し込むことでスプール３４を回転規制状態から駆動回転状態へ一気に切り換えることができる。これにより、当たりがあったときに巻き上げ動作により素早く移ることができる。
【００９５】
なお、切り換えレバー６３は、リール本体５の左右方向に回動するように設けたが、前後方向に回動するようにしてもよく、また、切り換え部材（６３）は、レバーではなくダイヤル状に形成して回動してもよい。さらに、切り換え部材（６３）は、回動以外にスライド等の操作で切り換え可能にしてもよい。
【００９６】
本発明は上記実施の形態に特定されるものではなく、発明の主旨を逸脱しない範囲内で種々変形して実施可能である。例えば寸動スイッチ５９ａ，５９ｂは、必須の構成要素ではなく、適宜省略可能である。本発明でいうリール本体の接地部（すなわち底部）は、脚１６ａ，１６ｂに限らず、リール本体の底壁が接地部を構成してもよい。
【図面の簡単な説明】
【００９８】
【図１】本発明の実施の形態において、魚釣用リールを台の上に置いて使用している状態を示す側面図。
【図２】本発明の実施の形態に係る魚釣用リールの断面図。
【図３】本発明の実施の形態に係る魚釣用リールの平面図。
【図４】図１のＦ４−Ｆ４線に沿う魚釣用リールの断面図。
【図５】本発明の実施の形態において、トップカバーの指置き部と第１の寸動スイッチとの位置関係を示す断面図。
【図６】本発明の実施の形態において、切り換えレバーの舌片部に手の人さし指を宛がった状態を示す魚釣用リールの側面図。
【図７】本発明の実施の形態において、切り換えレバーが第２の切り換え位置に回動された状態を図６のＦ７−Ｆ７線に沿って示す魚釣用リールの断面図。
【図８】本発明の実施の形態において、切り換えレバーが第３の切り換え位置に回動された状態を示す魚釣用リールの断面図。
【図９】本発明の実施の形態において、切り換えレバーが第１の切り換え位置に回動された状態を示す魚釣用リールの断面図。
【図１０】本発明の実施の形態において、切り換えレバーによりトルク伝達部材が押し下げられて、トルク伝達部材がスプールから切り離された状態を示す魚釣用リールの断面図。
【図１１】本発明の実施の形態において、リール本体の前端に位置する釣糸ガイドに釣糸上のストッパが引っ掛かった状態を示す魚釣用リールの断面図。
【図１２】本発明の実施の形態において、電動モータの駆動系統を示す回路図。
【符号の説明】
【００９９】
４…魚釣用リール、５…リール本体、６ａ…上壁、１７…第１の領域、１８…第２の領域、１９…中間部、３４…スプール、４４…電動モータ、５８…駆動スイッチ（連続巻きスイッチ）、６３…切り換え部材（切り換えレバー）、Ｐ１…第１の切り換え位置、Ｐ２…第２の切り換え位置、Ｐ３…第３の切り換え位置。
【図１】
0005128346.tif 000002
【図２】
0005128346.tif 000003
【図３】
0005128346.tif 000004
【図４】
0005128346.tif 000005
【図５】
0005128346.tif 000006
【図６】
0005128346.tif 000007
【図７】
0005128346.tif 000008
【図８】
0005128346.tif 000009
【図９】
0005128346.tif 000010
【図１０】
0005128346.tif 000011
【図１１】
0005128346.tif 000012
【図１２】
0005128346.tif 000013